(57)【要約】【課題】フィルタユニットに高電圧を印加する高圧電源部と超音波発振子を一体に収納できる電気集塵ユニットの電装装置を提供すること。【解決手段】保持ユニット２の一端部に設けられる電装ボックス３内に併設して収納される高圧電源基板４および超音波発振子５を設け、超音波発振子５を、超音波を放出する開口部６を設け、上方が開口７した収納室８に収納し、高圧電源基板４と高圧電源供給端子１３を接続する構成としたことにより、高圧電源部と超音波発振子５を一体にしゅうのうできることとなる。【選択図】  図１
2005028205.tif 000002
【特許請求の範囲】
【請求項１】
フィルタユニットが装着される保持ユニットの一端部に設けられる電装ボックスと、この電装ボックス内に並設して収納される高圧電源基板および超音波発振子とを備え、前記超音波発振子を上方が開口した収納室に収納し、前記開口を蓋により閉蓋する構成とした電気集塵ユニットの電装装置。
【請求項２】
超音波発振子を収納する収納室上に設けた蓋の上面に設けられる金具保持部と、この金具保持部に保持される高圧電源供給端子を一端に有し、他端に高圧電源基板上に接触する高圧電源接続部を設けた高圧電源供給金具とを備え、前記高圧電源供給金具を、前記収納室の蓋に当接して電装ボックスに固定し、高圧電源接続部を高圧電源基板に圧接する構成とした請求項１記載の電気集塵ユニットの電装装置。
【請求項３】
高圧電源供給金具を、両端に設けられる高圧電源接続部および、高圧電源供給端子は弾性を有し、保持部分は剛性をゆうするように導電性金属板を折り曲げ形成した請求項２記載の電気集塵ユニットの電装装置。
【請求項４】
超音波発振子から発生するっ超音波をフィルタユニットに供給するための開口部を収納室に設け、前記超音波発振子を囲み、前記開口部にむかう形状の筒状突起を収納室と蓋により形成した請求項１記載の電気集塵ユニットの電装装置。
【請求項５】
高圧電源基板より引き出されるリード線と、このリード線に接続端子を介して電装ボックス外より接続される接続線とを設け、前記接続端子を囲み防塵する小部屋を電装ボックス内に形成した請求項１記載の電気集塵ユニットの電装装置。
【発明の詳細な説明】
【０００１】
【発明の属する技術分野】
本発明は、空気調和機の空気流路に設けられる電気集塵ユニットの電装装置に関するものである。
【０００２】
【従来の技術】
従来、この種の電気集塵ユニットの一例として集塵部に高電圧を印加する装置以外に機能を高めるために音波発生手段を設けた電気集塵装置が知られている（例えば、特許文献１参照）。
【０００３】
以下、その電気集塵装置の構成について図６を参照しながら説明する。
【０００４】
図に示すように、集塵ユニット１０１は、集塵ユニットく筐体１０２、放電電極１０３、対向電極１０４、集塵フィルタ１０５を設け、放電電極１０３と対向電極１０４には集塵ユニット１０１外に設けた直流電源１０６によって電圧が印加されるように制御部１０７とスイッチ１０８を設け、集塵ユニット筐体１０２の側面部１０９に音波発生手段１１０を設け、音波制御装置１１１により制御し、コロナ放電領域に音波を照射して塵埃捕集効率を高めるようにしていた。
【０００５】
【特許文献１】
特開２００３−１０３１９６号公報（［００１０］［００１６］、図２）
【０００６】
【発明が解決しようとする課題】
しかしながら、上記従来の電気集塵装置の構成では、集塵ユニット１０１に直流を印加するための直流電源１０６、制御部１０７、スイッチ１０８を装置外に設け、音波発生手段１１０は集塵ユニット筐体１０２の側面部１０９に設け、音波制御手段１１１により制御していたので、直流電源１０６、制御部１０７、スイッチ１０８および音波発生手段１１０、音波制御装置１１１は、相互にノイズ等の影響を与える可能性があり、集塵ユニット筐体１０２に分離して設置することとなり、部品間を繋ぐ配線長が長くなるとともに各部材の塵埃の付着に対する対策が複雑になるという課題があった。
【０００７】
本発明は、上記従来の課題を解決するもので、フィルタユニットに高電圧を印加する高圧電源部と集塵機能を高めるために設けられる超音波発振子を一体に収納できる電気集塵ユニットの電装装置を提供することを目的とする。
【０００８】
【課題を解決するための手段】
上記従来の課題を解決するために、本発明の電気集塵ユニットの電装装置は、フィルタユニットが装着される保持ユニットの一端部に設けられる電装ボックスと、この電装ボックス内に並設して収納される高圧電源基板および超音波発振子とを備え、前記超音波発振子を上方が開口した収納室に収納し、前記開口を蓋により閉蓋する構成としたものである。
【０００９】
また、超音波発振子を収納する収納室上に設けた蓋の上面に設けられる金具保持部と、この金具保持部に保持される高圧電源供給端子を一端に有し、他端に高圧電源基板上に接触する高圧電源接続部を設けた高圧電源供給金具とを備え、前記高圧電源供給金具を、前記収納室の蓋に当接して電装ボックスに固定し、高圧電源接続部を高圧電源基板に圧接する構成としたものである。
【００１０】
また、高圧電源供給金具を、両端に設けられる高圧電源接続部および、高圧電源端子は弾性を有し、保持部分は剛性を有するように導電性金属板を折り曲げ形成したものである。
【００１１】
また、超音波発振子から発生する超音波をフィルタユニットに供給するための開口部を収納室に設け、前記超音波発振子を囲み、前記開口部に向かう形状の筒状突起を収納室と蓋により形成したものである。
【００１２】
また、高圧電源基板より引き出されるリード線と、このリード線に接続端子を介して電装ボックス外より接続される接続線とを設け、前記接続端子を囲み防塵する小部屋を電装ボックス内に形成したものである。
【００１３】
【発明の実施の形態】
請求項１に記載の発明は、フィルタユニットが装着される保持ユニットの一端部に設けられる電装ボックスと、この電装ボックス内に並設して収納される高圧電源基板および超音波発振子とを備え、前記超音波発振子を上方が開口した収納室に収納し、前記開口を蓋により閉蓋する構成としたことにより、電装ボックス内に高圧電源基板および、超音波発振子が設けられることにより、配線の長さを短くすることができ、作業性、輸送性の効率が改善でき、電気集塵ユニットの小形化を図ることができるとともに、超音波発振子などの部材に粉塵が付着することがなくなり、超音波の発振機能が低下するのを防止することができる。
【００１４】
請求項２に記載の発明は、超音波発振子を収納する収納室上に設けた蓋の上面に設けられる金具保持部と、この金具保持部に保持される高圧電源供給端子を一端に有し、他端に高圧電源基板上に接触する高圧電源接続部を設けた高圧電源供給金具とを備え、前記高圧電源供給金具を、前記収納室の蓋に当接して電装ボックスに固定し、高圧電源接続部を高圧電源基板に圧接する構成としたことにより、高圧電源供給金具は超音波発振子を収納する収納室に設けた蓋に近接して固定され、高圧電源供給金具の一端に設けた高圧電源供給端子側において金具保持部を介して収納室の蓋が固定されるとともに、高圧電源供給金具の他端に設けられる高圧電源接続部側が高圧電源基板に圧接されて接続されることとなり、蓋の固定と高圧電源供給金具の固定を同時に行なうことができ、作業性を向上することができるとともに部品点数の削減を図ることができる。
【００１５】
請求項３に記載の発明は、高圧電源供給金具を、両端に設けられる高圧電源接続部および、高圧電源供給端子は弾性を有し、保持部分は剛性を有するように導電性金属板を折り曲げ形成したことにより、高圧電源供給金具は一枚の金属板を折り曲げ加工することにより、両端は弾性を有し、ねじで固定する中央の保持部分は剛性を有するように形成されることとなり、複数の部材を用いることなく、高圧電源接続部および高圧電源供給端子を形成することができコストダウンが図られ、また接点のずれがなく確実な固定を、折り曲げ加工した金属板で行ない、簡易な構造で実現することができる。
【００１６】
請求項４に記載の発明は、超音波発振子から発生する超音波をフィルタユニットに供給するための開口部を収納室に設け、前記超音波発振子を囲み、前記開口部に向かう形状の筒状突起を収納室と蓋により形成したことにより超音波発振子から発振された超音波が筒状突起により収納室に設けた開口部に案内され所定の方向にに超音波を送ることができるとともに、筒状突起を２分し収納室側と蓋側に設けることにより超音波発振子を上下より挟み込み支持することが可能となり、狭い収納室内でも確実に超音波発振子を支持することができる。
【００１７】
請求項５に記載の発明は、高圧電源基板より引き出されるリード線と、このリード線に接続端子を介して電装ボックス外より接続される接続線とを設け、前記接続端子を囲み防塵する小部屋を電装ボックス内に形成したことにより、リード線と接続線を接続する接続端子が電装ボックス内に設けた小部屋に配設されることとなり、接続部を保護するための絶縁を別個に施す必要もなく、また、接点部への粉塵付着を確実に防止でき安全性を高めることができる。
【００１８】
以下、本発明の実施例について、図面を参照しながら説明する。
【００１９】
【実施例】
（実施例１）
図１〜図５に示すように、フィルタユニット１が装着される保持ユニット２の一端部に設けられる電装ボックス３内に高圧電源基板４および超音波発振子５を設け、超音波発振子５から発生する超音波をフィルタユニット１に供給するための開口部６を側壁に形成し、上方を開口７した収納室８を設け、超音波発振子５を囲み開口７に向かうにつれて径小となる筒状突起９を上下に２分割し、一方は収納室８内に設け、他方は収納室８の開口７を閉蓋する蓋１０の内面に設け、収納室８に蓋１０をすることにより、収納室８内で筒状突起９が形成される。
【００２０】
また、超音波発振子５を収納する収納室８の蓋１０の上面に溝１１を形成した金具保持部１２を設け、一端にフィルタユニット１側の横方向に弾性力が作用するように折り曲げ、金具保持部１２の溝１１に係合するように形成された高圧電源供給端子１３を設け、他端には高圧電源基板４の電源端子４ａに弾性力が作用して接触するように折り曲げた高圧電源接続部１４を設け、両者の中央部分には剛性の保持部分１５を設け、高圧電源金具１６を形成し、収納室８の蓋１０に当接して電装ボックス３にねじ１７により固定し、高圧電源供給端子１３側は収納室８の蓋１０に保持し、高圧電源接続部１４を高圧電源基板４に圧接するように設ける。
【００２１】
また、高圧電源基板４より引き出されるリード線１８と、リード線１８に接続端子１９を介して電装ボックス３外より接続される接続線２０を設け、高圧電源が供給されるように、電装ボックス３内に形成した小部屋２１内に収納し、小部屋２１の開口は小部屋蓋２２により閉蓋し、さらに、電装ボックス３は、内部に設けた高圧電源供給端子１３と高圧電源接続部１４を有した高圧電源金具１６および高圧電源基板４を含み電装ボックス３の上面を閉蓋する電装ボックス用蓋２３を設け構成する。
【００２２】
上記構成において、高圧電源基板４で商用電源から変圧された高圧電源は高圧端子４ａから高圧電源金具１６の高圧電源接続部１４に供給され、さらに高圧電源金具１６の他端側の高圧電源供給端子１３よりフィルタユニット１の側方より供給されるとともに、リード線１８、接続端子１９および接続線２０を通して親機（図示せず）へ高電圧が供給され、負イオン発生装置などの電源となるものである。
【００２３】
このように本発明の実施例１の電気集塵ユニットによれば、フィルタユニット１が装着される保持ユニット２の一端部に設けられる電装ボックス３と、電装ボックス内に並設して収納される高圧電源基板４および超音波発振子５とを備え、超音波発振子５を上方が開口した収納室８に収納し、開口７を蓋１０により閉蓋する構成としたことにより、電装ボックス３内に高圧電源基板４および超音波発振子５が設けられることにより、配線の長さを短くすることができ、作業性、輸送性の効率が改善でき、電気集塵ユニットの小形化を図ることができるとともに、超音波発振子５等の部材に粉塵が付着することがなくなり、超音波の発振機能が低下するのを防止することができる。
【００２４】
また、超音波発振子５を収納する収納室８上に設けた蓋９の上面に設けられる金具保持部１２と、金具保持部１２に保持される高圧電源供給端子１３を一端に有し、他端に高圧電源基板４上の電源端子４ａに接触する高圧電源接続部１４を設けた高圧電源供給金具１６とを備え、高圧電源供給金具１６の中央付近を収納室８の蓋１０に当接して電装ボックス３内に固定し、高圧電源接続部１４を高圧電源基板４に圧接する構成としたことにより、高圧電源供給金具１６は超音波発振子５を収納する収納室８に設けた蓋１０に近接して固定され、高圧電源供給金具１６の一端に設けた高圧電源供給端子１３側において金具保持部１２を介して収納室８の蓋１０が固定されるとともに、高圧電源供給金具１６の他端に設けられる高圧電源接続部１４側が高圧電源基板４に圧接されることとなり、蓋１０の固定と高圧電源供給金具１６の固定を同時に行なうことができ、作業性を向上することができるとともに、部品点数の削減を図ることができる。
【００２５】
また、高圧電源供給金具１６を両端に設けられる高圧電源接続部１４および高圧電源供給端子１３は弾性を有し、中央の保持部分１５は剛性を有するように導電性金属板を折り曲げ形成したことにより、高圧電源供給金具１６は一枚の金属板を折り曲げ加工することにより、両端は弾性を有し、ねじ１７で固定する中央の保持部分１５は剛性を有するように形成されることとなり、複数の部材を用いることなく、高圧電源接続部１４および高圧電源供給端子１３を形成することができコストダウンが図られ、また、接点のずれが無く確実な固定を可能とした占有面積の小さい構造に形成することができる。
【００２６】
また、超音波発振子５から発生する超音波をフィルタユニット１に供給するための開口部６を収納室８に設け、超音波発振子５を囲み、開口部６に向かう形状の筒状突起９を収納室８と蓋１０により形成したことにより、超音波発振子５から発振された超音波が筒状突起９により収納室８に設けた開口部６に案内され、所定の方向となるフィルタユニット１側に調音波を送ることができるとともに、筒状突起９を２分し、収納室８側と蓋１０側に設けることにより超音波発振子５を前後より挟み込み支持することが可能となり、狭い収納室８内でも確実に超音波発振子５を支持することができるとともに超音波発振子５の取付作業が容易となる。
【００２７】
また、高圧電源基板４より引き出されるリード線１８と、リード線１８に接続端子１９を介して電装ボックス３外より接続される高圧電源を印加する接続線２０とを設け、接続端子１９を囲み防塵する小部屋２１と小部屋蓋２２を電装ボックス３内に形成したことにより、リード線１８と接続線２０を接続する接続端子１９が電装ボックス３内に設けた小部屋２１に配設されることとなり、接続部２０を保護するための絶縁を別個に施す必要もなく、また、塵埃の付着するのが防止でき安全性を高めることができる。
【００２８】
【発明の効果】
以上の実施例から明らかなように、本発明によればフィルタユニットが装着される保持ユニットの一端部に設けられる電装ボックスと、この電装ボックス内に並設して収納される高圧電源基板および超音波発振子とを備え、前記超音波発振子を上方が開口した収納室に収納し、前記開口を蓋により閉蓋する構成としたので、配線の長さを短くすることができ、また、電気集塵ユニットの小形化を図ることができ、超音波の発振機能が低下するのを防止することができる電気集塵ユニットの電装装置を提供することができる。
【００２９】
また、超音波発振子を収納する収納室上に設けた蓋の上面に設けられる金具保持部と、この金具保持部に保持される高圧電源供給端子を一端に有し、他端に高圧電源基板上に接触する高圧電源接続部を設けた高圧電源供給金具とを備え、前記高圧電源供給金具を、前記収納室の蓋に当接して電装ボックスに固定し、高圧電源接続部を高圧電源基板に圧接する構成としたので、蓋の固定と高圧電源供給金具の固定を同時に行うことができ、作業性を向上することができるとともに、部品点数の削減を図ることができる。
【００３０】
また、高圧電源供給金具を、両端に設けられる高圧電源接続部および高圧電源供給端子は弾性を有し、保持部分は剛性を有するように導電性金属板を折り曲げ形成したので、複数の部材を用いることなく、高圧電源接続部および高圧電源供給端子を形成することができコストダウンを図ることができ、また、確実な固定を可能にした占有面積の小さい構造に形成することができる。
【００３１】
また、超音波発振子から発生する超音波をフィルタユニットに供給するための開口部を収納室に設け、前記超音波発振子を囲み、前記開口部に向かう形状の筒状突起を収納室と蓋により形成したので、所定の方向に超音波を送ることができ、狭い収納室内でも確実に超音波発振子を支持することができる。
【００３２】
また、高圧電源基板により引き出されるリード線と、このリード線に接続端子を介して電装ボックス外より接続される接続線とを設け、前記接続端子を囲み防塵する小部屋を電装ボックス内に形成したので、接続部を保護するための絶縁を別個に施す必要もなく、また、塵埃の付着するのが防止でき安全性を高めることができる。
【図面の簡単な説明】
【図１】本発明の実施例１の電気集塵ユニットの電装装置の構成を示す分解斜視図
【図２】同電気集塵ユニットの電装装置の電装ボックス内の構成を示す平面図
【図３】同電気集塵ユニットの電装装置のフィルタユニット取付状態を示す平面図
【図４】同電気集塵ユニットの電装装置の超音波発振子の支持状態を示す断面図
【図５】同電気集塵ユニットの電装装置の外部からの接続線の接続状態を示す斜視図
【図６】従来の電気集塵装置の構成を示す分解斜視図
【符号の説明】
１    フィルタユニット
２    保持ユニット
３    電装ボックス
４    高圧電源基板
５    超音波発振子
６    開口部
７    開口
８    収納室
９    筒状突起
１０  蓋
１２  金具保持部
１３  高圧電源供給端子
１４  高圧電源接続部
１５  保持部分
１６  高圧電源供給金具
１８  リード線
１９  接続端子
２０  接続線
２１  小部屋
【図１】
2005028205.tif 000003
【図２】
2005028205.tif 000004
【図３】
2005028205.tif 000005
【図４】
2005028205.tif 000006
【図５】
2005028205.tif 000007
【図６】
2005028205.tif 000008